(57)【要約】      （修正有）【課題】被介護者の頭を適切に支え易い介護用枕を提供する。【解決手段】介護用枕１は、トップ枕部１１を首筋枕部１０に対して持ち上げる方向に回動して首筋枕部に重ねることができる。トップ枕部は、首筋枕部に対して重なった状態と重なっていない状態を切替えることができ、首筋枕部の高さ調節を行える。このために、円背等が原因で首筋枕部が低いような場合にも適切に対応でき、被介護者Ｍがリッラクスできる状態を得易い。また、介護用枕は、入浴用の担架或いは移送車にも取り付けられる。【選択図】図９
2016119927.tif 000002
【特許請求の範囲】
【請求項１】
被取付対象物に取り付けられる第１の枕部と、
前記第１の枕部に重なった状態と重なっていない状態とに切替え可能な第２の枕部と、
を備えることを特徴とする介護用枕。
【請求項２】
前記第２の枕部は、前記第１の枕部に回動可能に連結されていることを特徴とする請求項１に記載の介護用枕。
【請求項３】
前記第２の枕部が取り付けられる端部と対向する端部にて前記第１の枕部に連結される第３の枕部を更に備えることを特徴とする請求項１又は２に記載の介護用枕。
【請求項４】
前記第２の枕部が取り付けられる端部と隣り合う端部にて前記第１の枕部に連結される第４の枕部を更に備えることを特徴とする請求項１から３のいずれか１項に記載の介護用枕。
【請求項５】
前記第２の枕部は、前記第１の枕部の、当該第１の枕部に頭を載置する被介護者を基準として頭頂部側となる位置に連結されることを特徴とする請求項１から４のいずれか１項に記載の介護用枕。
【請求項６】
前記第２の枕部は、先端側を前記第１の枕部の上面より下に下げられることを特徴とする請求項１から５のいずれか１項に記載の介護用枕。
【請求項７】
前記被取付対象物が入浴用の担架或いは移送車であることを特徴とする請求項１から６のいずれか１項に記載の介護用枕。
【発明の詳細な説明】
【技術分野】
【０００１】
本発明は、例えば被介護者を入浴させる場合等に好適に使用される介護用枕に関する。
【背景技術】
【０００２】
従来、病人、老人、身体障害者等の介助が必要な者（被介護者）を入浴させる際に、入浴用の担架等が使用される。入浴用の担架等には、被介護者の頭部を載せる枕が備えられるのが一般的である。例えば、特許文献１には、担架の背凭れの先方部分に一体的に頸部受けが突設され、該頸部受けの先方位置に回動可能に頭部受けが設けられてなる回動枕付担架が開示されている。頭部受けは、担架の背凭れ部を支持する上半枠に軸支される枕枠に支持され、頸部受けとは分離している。
【先行技術文献】
【特許文献】
【０００３】
【特許文献１】特開平１１−５６９０５号公報
【発明の概要】
【発明が解決しようとする課題】
【０００４】
入浴用の担架等に載せられる被介護者の中には、脊椎が丸まるように湾曲した円背の者がいる。円背の者を担架に載せた場合、頭が枕から離れてしまうことがある。枕から頭が離れるとリッラクスし難い。このために、従来においては、例えば、頭と枕との間にタオル等のクッションとなるものを挟むことによって対処することがあった。しかしながら、クッションとなるものがすぐに手に入らない場合もある。このような場合には、被介護者のリラックスが得られないか、介助者がクッションとなるものを探しに行くための時間が必要となり、好ましくない。
【０００５】
以上の点に鑑みて、本発明の目的は、被介護者の頭を適切に支え易い介護用枕を提供することである。
【課題を解決するための手段】
【０００６】
上記目的を達成するために本発明の介護用枕は、被取付対象物に取り付けられる第１の枕部と、前記第１の枕部に重なった状態と重なっていない状態とに切替え可能な第２の枕部と、を備える構成（第１の構成）になっている。
【０００７】
本構成によれば、第２の枕部を、第１の枕部に重なった状態としたり、第１の枕部に重なっていない状態としたりすることができ、第１の枕部の高さを調節することができる。すなわち、本構成の介護用枕を使用すれば、例えば円背等に対応して簡単に枕の高さを切り替えることができ、被介護者がリッラクスできる状態を得易い。また、本構成によれば、高さ調節のためにタオル等を利用する必要もないので、介助者にとっても便利である。
【０００８】
上記第１の構成の介護用枕において、前記第２の枕部は、前記第１の枕部に回動可能に連結されている構成（第２の構成）であるのが好ましい。本構成によれば、単純な構成で、第１の枕部に重なった状態と重なっていない状態とに切替えられる第２の枕部を得ることが可能である。
【０００９】
上記第１又は第２の構成の介護用枕は、前記第２の枕部が取り付けられる端部と対向する端部にて前記第１の枕部に連結される第３の枕部を更に備える構成（第３の構成）であるのが好ましい。本構成によれば、第３の枕部を利用して、被介護者の頭の位置を枕に対して適切な位置に配置したり、及び／又は、被介護者の頭を適切にサポートしたりすることが可能になる。
【００１０】
上記第１から第３のいずれかの構成の介護用枕は、前記第２の枕部が取り付けられる端部と隣り合う端部にて前記第１の枕部に連結される第４の枕部を更に備える構成（第４の構成）であるのが好ましい。本構成によれば、第４の枕部を利用して、被介護者の頭の位置を枕に対して適切な位置に配置したり、及び／又は、被介護者の頭を適切にサポートしたりすることが可能になる。
【００１１】
上記第１から第４のいずれかの構成の介護用枕において、前記第２の枕部は、前記第１の枕部の、当該第１の枕部に頭を載置する被介護者を基準として頭頂部側となる位置に連結される構成（第５の構成）であってよい。本構成によれば、例えば被介護者の利便性等を考慮して、第２の枕部を第１の枕部に重ねるための機構を設け易い。
【００１２】
上記第１から第５のいずれかの構成の介護用枕において、前記第２の枕部は、先端側を前記第１の枕部の上面より下に下げられる構成（第６の構成）が採用されてよい。本構成によれば、第２の枕部を高さ調節に使う以外の用途にも使い易くなる。
【００１３】
上記第１から第６のいずれかの構成の介護用枕において、前記被取付対象物が入浴用の担架或いは移送車である構成（第７の構成）が採用されてよい。
【発明の効果】
【００１４】
本発明によれば、被介護者の頭を適切に支え易い介護用枕を提供できる。
【図面の簡単な説明】
【００１５】
【図１】本発明の実施形態に係る介護用枕を含むストレッチャーの構成を示す概略上面図
【図２】本発明の実施形態に係る介護用枕を含むストレッチャーの構成を示す概略側面図
【図３】本発明の実施形態に係る介護用枕の構成を示す概略斜視図
【図４】本発明の実施形態に係る介護用枕の構成を示す概略側面図
【図５】本発明の実施形態に係る介護用枕の首筋枕部とトップ枕部との連結状態について説明するための概略図
【図６】本発明の実施形態に係る介護用枕の首筋枕部と右側のサイド枕部との連結状態について説明するための概略図
【図７】本発明の実施形態に係る介護用枕の第１の使用例を示す概略図
【図８】本発明の実施形態に係る介護用枕の第２の使用例を示す概略図
【図９】本発明の実施形態に係る介護用枕の第３の使用例を示す概略図
【図１０】本発明の実施形態に係る介護用枕の第４の使用例を示す概略図
【図１１】本発明の実施形態に係る介護用枕の第５の使用例を示す概略図
【発明を実施するための形態】
【００１６】
以下、本発明の実施形態に係る介護用枕について、図面を参照しながら詳細に説明する。なお、以下では、本発明の実施形態に係る介護用枕がストレッチャー（移送車の一例）に取り付けられる場合を例に説明する。
＜ストレッチャーの概略構成＞
【００１７】
まず、本発明の実施形態に係る介護用枕が取り付けられるストレッチャーの構成について簡単に説明しておく。図１は、本発明の実施形態に係る介護用枕１を含むストレッチャー２の構成を示す概略上面図である。図２は、本発明の実施形態に係る介護用枕１を含むストレッチャー２の構成を示す概略側面図である。
【００１８】
本実施形態のストレッチャー２は、当該ストレッチャー２を内部に受け入れて、ストレッチャー２に載る被介護者に対してシャワー浴を可能とするドーム型のシャワー浴装置（不図示）とセットで使用されるものである。すなわち、ストレッチャー２は、シャワー浴用のストレッチャーである。なお、ストレッチャー２は、本発明の介護用枕が取り付けられる被取付対象物の一例である。また、本実施形態の介護用枕１は、シャワー浴用のストレッチャー２に限らず、他の入浴用のストレッチャーにも適用可能である。
【００１９】
図１及び図２に示すように、ストレッチャー２は、床面に対する走行を可能とする台車部２１と、台車部２１上に設けられて被介護者が載せられる担架部２２とを有する。台車部２１は、四隅にそれぞれ車輪２１１が取り付けられる下部フレーム２１２と、下部フレーム２１２に立設される支柱２１３（本実施形態では一例として２本になっている）と、支柱２１３に支持される上部フレーム２１４と、を備えている。
【００２０】
下部フレーム２１２には、水受盤２１５が取り付けられている。上部フレーム２１４には、担架部２２を構成する寝台２２１と、寝台２２１の側面に配置される一対のサイドフェンス２３ａ、２３ｂとが支持されている。一対のサイドフェンス２３ａ、２３ｂは、寝台２２１に載せられた被介護者の転落を防止する等の目的で設けられている。なお、一対のサイドフェンス２３ａ、２３ｂは、いずれも、上部フレーム２１４に回動可能に取り付けられており、図１及び図２に示す状態から倒すことができる。
【００２１】
寝台２２１には、その一端部寄りに、介護用枕１を支持する枕支持部２２２が設けられている。また、寝台２２１の枕支持部２２２が設けられる一端部側には、ストレッチャー２を動かす介助者等が持つための持ち手部（ハンドル）２２３が設けられている。また、寝台２２１上には、被介護者の快適性等を考慮して軟質のマット２２４が載置されている。なお、寝台２２１及びマット２２４には、水抜き用の貫通穴や溝が適宜形成されている。
＜介護用枕＞
【００２２】
次に、ストレッチャー２に取り付けられる介護用枕１について説明する。図３は、本発明の実施形態に係る介護用枕１の構成を示す概略斜視図である。図４は、本発明の実施形態に係る介護用枕１の構成を示す概略側面図である。図３及び図４に示すように、介護用枕１は、首筋枕部１０と、トップ枕部１１と、肩枕部１２と、一対のサイド枕部１３ａ、１３ｂと、を備えている。
【００２３】
詳細は後述するが、トップ枕部１１、肩枕部１２、及び、一対のサイド枕部１３ａ、１３ｂは、それぞれ、首筋枕部１０の端部に連結され、介護用枕１を構成する５つの枕部（５つのピース）は一体となっている。なお、図３及び図４においては、介護用枕１にカバーが被せられた状態を示している。カバーは、介護用枕１に含まれるヒンジ等が外部に露出することを防ぐ等の目的で被せられている。カバーは、伸縮性やクッション性を有する部材で構成してよい。また、介護用枕１を構成する５つの枕部は、特に限定する趣旨ではないが、それぞれ、例えばスポンジ成形品等で構成してもよい。
【００２４】
上面視略矩形状に設けられる首筋枕部１０は、主には、被介護者の首筋と後頭部との一部を支えることを目的として設けられた部分である。首筋枕部１０は、ストレッチャー２の枕支持部２２２（図１参照）に取り付けられる。首筋枕部１０は、その背面側に、枕支持部２２２に固定するための固定具（不図示）を含む取付部１０１を備えている。首筋枕部１０は、本発明の第１の枕部の一例である。
【００２５】
なお、首筋枕部１０は、枕支持部２２２に対してスライド移動可能に取り付けられてよい。また、首筋枕部１０は、枕支持部２２２に対して着脱可能に取り付けられてよい。
【００２６】
上面視略半月状且つ板状に設けられるトップ枕部１１は、主には、被介護者の後頭部の一部を支えることを目的として設けられた部分である。トップ枕部１１は、首筋枕部１０の、首筋枕部１０に頭を載置する被介護者からみて頭頂部側となる端部に回動可能に連結されている。トップ枕部１１は、本発明の第２の枕部の一例である。
【００２７】
図５は、本発明の実施形態に係る介護用枕１の首筋枕部１０とトップ枕部１１との連結状態について説明するための概略図である。図５は、図４と同じ方向から首筋枕部１０及びトップ枕部１１を見た場合の側面図であり、図５においては、介護用枕１に被せられるカバー、及び、サイド枕部１３ｂは取り除かれている。また、図５においては、首筋枕部１０及びトップ枕部１１は、その一部のみが示されている。
【００２８】
図５に示すように、首筋枕部１０とトップ枕部１１とは、第１のヒンジ部１４を介して連結されている。なお、第１のヒンジ部１４は、インサート成形によって枕部内に隠された構成としてもよい。第１のヒンジ部１４は、２７０°の開き角度を有するフリーストップ仕様のヒンジを用いて構成されている。トップ枕部１１は、図５に示す状態（首筋枕部１０とトップ枕部１１との頭を載せる面がフラットになった状態）から、反時計回り方向（矢印ａ方向）にほぼ１８０°回転でき、時計回り方向（矢印ｂ方向）にほぼ９０°回転できる。
【００２９】
トップ枕部１１は、回動可能な角度範囲の任意の角度で保持できる。トップ枕部１１は、首筋枕部１０に重ねることができる。また、トップ枕部１１の先端側は、首筋枕部１０の上面（頭が載せられる面）より下がった位置にでき、トップ枕部１１は、首筋枕部１０に対して下方に傾斜した状態にできる。下方に傾斜した場合に、トップ枕部１１の頭を載せるための面が首筋枕部１０の頭を載せる面に対して略直交する程度になるまで、トップ枕部１１は首筋枕部１０に対して傾斜できるのが好ましい。
【００３０】
略台形柱状（或いは略三角柱状）に設けられる肩枕部１２は、主には、被介護者の肩から首を支えることを目的として設けられた部分である。肩枕部１２は、トップ枕部１１が取り付けられる端部と対向する端部にて首筋枕部１０に連結されている。肩枕部１２は、可撓性を備える連結片１５を介して首筋枕部１０に連結されており、首筋枕部１０に対して完全に固定されるのではなく動けるようになっている。なお、肩枕部１２は、本発明の第３の枕部の一例である。
【００３１】
なお、肩枕部１２は、可撓性の連結片１５に代えて、例えばヒンジによって首筋枕部１０に連結されてよい。
【００３２】
上面視舌状且つ板状に設けられる一対のサイド枕部１３ａ、１３ｂは、主には、被介護者の頭の側面部を支えることを可能とする目的で設けられた部分である。一対のサイド枕部１３ａ、１３ｂは、それぞれ、トップ枕部１１が取り付けられる端部と隣り合う端部にて首筋枕部１０に回動可能に連結されている。サイド枕部１３ａ、１３ｂは、本発明の第４の枕部の一例である。
【００３３】
図６は、本発明の実施形態に係る介護用枕１の首筋枕部１０と右側のサイド枕部１３ａとの連結状態について説明するための概略図である。図６は、トップ枕部１１が設けられる側から首筋枕部１０及び右側のサイド枕部１３ａを見た場合の側面図であり、図６においては、介護用枕１に被せられるカバーは取り除かれている。また、図６においては、首筋枕部１０及び右側のサイド枕部１３ａは、その一部のみが示されている。
【００３４】
図６に示すように、首筋枕部１０と右側のサイド枕部１３ａとは、第２のヒンジ部１６を介して連結されている。なお、第２のヒンジ部１６は、インサート成形によって枕部内隠された構成としてもよい。第２のヒンジ部１６は、例えば９０°以上の開き角度を有するフリーストップ仕様のヒンジを用いて構成される。右側のサイド枕部１３ａは、図６に示す状態から、反時計回り方向（矢印ａ方向）及び時計回り方向（矢印ｂ方向）に回転でき、ヒンジが備える開き角度の範囲内において任意の角度で保持できる。
【００３５】
なお、図示は省略するが、左側のサイド枕部１３ｂも、首筋枕部１０に第２のヒンジ部１６を介して連結されており、右側のサイド枕部１３ａと同様の動きを行う。一対のサイド枕部１３ａ、１３ｂは、少なくとも、その先端側が首筋枕部１０に対して上がるように設けられるのが好ましく、更には、首筋枕部１０に載置される頭を挟むように傾斜できるのが好ましい。
【００３６】
次に、以上のように構成される本実施形態の介護用枕１の使用例について、図７〜図１１を参照しながら説明する。
【００３７】
図７に示す第１の使用例では、トップ枕部１１は、その頭を載せるための面と、首筋枕部１０の頭が載せられる面とがほぼ平らになるように、回動方向の角度を調節されている。また、一対のサイド枕部１３ａ、１３ｂも、各上面（傾けられた場合に頭と対向する面）と、首筋枕部１０の頭が載せられる面とがほぼ平らになるように、回動方向の角度を調節されている。図７に示す状態は、例えば、被介護者Ｍをストレッチャー２によって移送する場合や、ベッド等から被介護者Ｍをストレッチャー２に移乗する場合等の使用に適している。
【００３８】
例えば、被介護者Ｍをベッド等からストレッチャー２に移乗する場合に、肩枕部１２の位置を目安として移乗を行うと、介護用枕部１に対する被介護者Ｍの位置を適切な位置に配置し易い。なお、移乗の際には、サイド枕部１３ａ、１３ｂは、図７に示す状態から、その先端側が首筋枕部１０に対して下がる方向に傾けられてもよい。これにより、首筋枕部１０やトップ枕部１１に、被介護者Ｍの頭が載せやすくなる（移乗しやすくなる）ことが期待できる。
【００３９】
図８に示す第２の使用例では、トップ枕部１１は、その先端側が首筋枕部１０の上面より下に下げられている。より詳細には、トップ枕部１１は、頭を載せるための面が、首筋枕部１０の上面に対して略直交する角度に近づけられている。図８に示す状態は、被介護者Ｍの後頭部を露出させることができる。このために、図８に示す状態では、介助者が洗髪作業を行い易くなることが期待できる。
【００４０】
なお、洗髪時においては、洗髪の邪魔にならない範囲で、サイド枕部１３ａ、１３ｂの先端側を持ち上げて、被介護者Ｍの頭部の側面にサイド枕部１３ａ、１３ｂを近づけてもよい。このようにすることで、被介護者Ｍの耳に水が入り難い状態を得ることも可能である。また、ストレッチャー２には、トップ枕部１１を下方に向けて回動できるように、トップ枕部１１との干渉を避けるための空間部が設けられている。
【００４１】
図９（ａ）に示す介護用枕１の状態は、図７に示す介護用枕１と同じ状態である。ストレッチャー２の寝台２２１に仰臥位で載る被介護者Ｍが円背である場合、図９（ａ）に示すように、被介護者Ｍの後頭部が首筋枕部１０やトップ枕部１１から離れてしまう事態が起こり得る。この点、本実施形態の介護用枕部１は、図９（ｂ）に示すように、トップ枕部１１を首筋枕部１０に対して持ち上げる方向に回動（図９（ａ）に示す状態からほぼ１８０°回動）して首筋枕部１０に重ねることができる。すなわち、トップ枕部１１は、首筋枕部１０に対して重なった状態と重なっていない状態とを切替えることができ、首筋枕部１０の高さ調節を行える。このために、介護用枕１は、円背等が原因で首筋枕部１０が低いような場合にも適切に対応できる。
【００４２】
図１０に示す使用例では、トップ枕部１１は、その頭を載せるための面と、首筋枕部１０の頭を載せる面とがほぼ平らになるように、回動方向の角度を調節されている。また、一対のサイド枕部１３ａ、１３ｂは、先端側が持ち上げられて、首筋枕部１０に対して立てられたような状態になっている。
【００４３】
図１０に示すように、ストレッチャー２の寝台２２１に仰臥位で載る被介護者Ｍの頭の向きが傾いている（図１０では右側に傾いている）場合がある。このような場合に、一対のサイド枕部１３ａ、１３ｂの一方（図１０では右側のサイド枕部１３ａ）を被介護者Ｍの頭の側面部（図１０では右側の側面部）に当接させることによって、頭が傾いた被介護者Ｍの頭の向きを適切にサポートできる。
【００４４】
なお、図１０に示す例では、左側のサイド枕部１３ｂは、勿論、傾斜させなくてもよい。また、図１０に示す状態から被介護者Ｍが側臥位になる場合には、サイド枕部１３ａで支持することが不要であると共に、被介護者Ｍに圧迫感を与える可能性がある。このために、図１０に示す状態から被介護者Ｍが側臥位になる場合には、図１１に示すように、サイド枕部１３ａ、１３ｂは、首筋枕部１０に対して傾斜させずにフラットとすればよい。また、図９（ｂ）に示すようにトップ枕部１１が首筋枕部１０に重なっている場合においても、被介護者Ｍの首の傾き等を考慮して、サイド枕部１３ａ、１３ｂは、適宜傾斜されてよい。
【００４５】
以上からわかるように、本実施形態の介護用枕１は、被介護者Ｍの状態（例えば円背等）や姿勢に応じて形状を変更できる。このために、本実施形態の介護用枕１を利用すれば、被介護者Ｍの頭を適切に支えることができると共に、被介護者が入浴する際における洗身や洗髪の介助が行い易い。
＜その他＞
【００４６】
以上に示した実施形態は、本発明の例示にすぎない。以上に示した実施形態の構成は、本発明の技術的思想を超えない範囲で適宜変更されて構わない。
【００４７】
例えば、以上に示した実施形態では、トップ枕部１１が、首筋枕部１０に重なった状態と重なっていない状態とに切替えられる構成とした。しかし、これは一例に過ぎない。例えば、トップ枕部１１に代えて、或いは、トップ枕部１１に加えて、肩枕部１２及び一対のサイド枕部１３ａ、１３ｂのうちの少なくともいずれか一つが、首筋枕部１０に重なった状態と重なっていない状態とに切替えられる構成としてもよい。
【００４８】
また、以上に示した実施形態では、トップ枕部１１が首筋枕部１０に対して第１のヒンジ部１４を介して連結される構成としたが、これは一例にすぎない。本発明においては、第２の枕部が第１の枕部に重なった状態と重なっていない状態とに切替えられればよく、第２の枕部は、場合によっては、第１の枕部に薄肉の連結片で連結されたり、第２の枕部自体を曲げられる構成として第１の枕部に直接連結したりするようにしてもよい。
【００４９】
また、以上に示した実施形態では、トップ枕部１１が首筋枕部１０に対して垂直面内で回動して首筋枕部１０に重なる構成とした。しかし、これは一例に過ぎない。場合によっては、トップ枕部１１が首筋枕部１０に対してスライド移動や水平面内で回動して首筋枕部１０に重なるような構造が採用されてもよい。
【００５０】
また、以上に示した実施形態では、肩枕部１２が首筋枕部１０に対して動くことができる構成としたが、場合によっては、肩枕部１２は首筋枕部１０に対して固着してもよい。また、肩枕部１２は、首筋枕部１０に対して着脱可能でもよい。
【００５１】
また、以上においては、本発明の介護用枕がストレッチャーに適用される例を示したが、これは一例にすぎず、本発明の介護用枕は、例えば入浴用の担架や車椅子等に適用されても構わない。
【符号の説明】
【００５２】
１      介護用枕
２      ストレッチャー（被取付対象物、移送車）
１０    首筋枕部（第１の枕部）
１１    トップ枕部（第２の枕部）
１２    肩枕部（他の枕部、第３の枕部）
１３ａ、１３ｂ  サイド枕部（他の枕部、第４の枕部）
【図１】
2016119927.tif 000003
【図２】
2016119927.tif 000004
【図３】
2016119927.tif 000005
【図４】
2016119927.tif 000006
【図５】
2016119927.tif 000007
【図６】
2016119927.tif 000008
【図７】
2016119927.tif 000009
【図８】
2016119927.tif 000010
【図９】
2016119927.tif 000011
【図１０】
2016119927.tif 000012
【図１１】
2016119927.tif 000013